(57)【要約】【課題】光学アタッチメント（立体像取り込み装置）をビデオカメラ等の撮影装置に装着するに際し、位置確認を容易かつ確実に行うことのできるアダプタ、及びこのアダプタによる立体像取り込み装置の装着機構を提供すること。【解決手段】デジタルカメラ３７等の撮影装置に立体像取り込み装置（光学アタッチメント）３１を装着するために用いられるアダプタ３０であって、全体がほぼ透明であり、撮影装置の特にセンサ、フラッシュ、ファインダ等の位置を容易かつ正確に確認することができる。また、アダプタ３０が、撮影装置に対する取り付け位置を規定する位置規定手段（リング部３３の内周面４２Ａ、４２Ｂや固定板部３８の突条部５０）を有し、撮影装置の筐体４９に凹凸嵌合等で取り付けられるように構成された、立体像撮影用のアダプタ３０、及びこのアダプタに立体像取り込み装置３１を凹凸嵌合等で着脱可能に支持する装着機構。【選択図】　　　　　図３
2004101666.tif 000002
【特許請求の範囲】
【請求項１】
撮影装置に立体像取り込み装置を装着するために用いられ、少なくとも、前記撮影装置の筐体と接する部分が透光性に構成された立体像撮影用のアダプタ。
【請求項２】
前記撮影装置のファインダ、フラッシュ又はセンサに対応する部分が透明に構成された、請求項１に記載したアダプタ。
【請求項３】
前記撮影装置に対する取り付け位置を規定する位置規定手段を有し、この位置規定手段を介して前記撮影装置の筐体に取り付けられるように構成された、請求項１に記載したアダプタ。
【請求項４】
前記撮影装置の筐体に設けられた前記鏡筒部の周囲に着脱可能に嵌合される筒状部を前記位置規制手段として有し、この筒状部が異なる高さ位置の前記鏡筒部の外周面に常に内接するように、中心位置が互いに異なる複数の内接円からなっていて、これらの内接円のいずれかが前記異なる高さ位置毎に選択される、請求項３に記載したアダプタ。
【請求項５】
前記撮影装置の前記筐体に接当されてこの筐体に着脱可能に固定される固定板部を有し、前記筐体に凹凸嵌合される凹部又は凸部が前記位置規制手段として前記固定板部に設けられている、請求項３に記載したアダプタ。
【請求項６】
前記撮影装置の前記筐体に接当されてこの筐体に着脱可能に固定される固定板部を有し、この固定板部に複数の固定位置が設けられていて、これらの固定位置が前記撮影装置の異なる機種毎に選択される、請求項３に記載したアダプタ。
【請求項７】
前記複数の固定位置が、前記撮影装置の前記筐体の底面に存在し、この筐体に対する三脚の固定位置を兼ねている、請求項６に記載したアダプタ。
【請求項８】
前記撮影装置の前記筐体の底面に接当されてこの筐体に着脱可能に固定される固定板部を有し、この固定板部に下方へ突出した突出板部が設けられ、前記撮影装置に取り付けて載置面に載置したときに、前記立体像取り込み装置が前記載置面とは非接触状態に保持されるように構成した、請求項３に記載したアダプタ。
【請求項９】
前記固定板部及びこれに連設された立板部が透明に構成された、請求項５又は６又は８に記載したアダプタ。
【請求項１０】
一方の眼用の映像が画面の略一半部に、他方の眼用の映像が画面の略他半部に位置するようにして立体映像を撮影する映像機器として前記撮影装置が構成され、この撮影装置のファインダに対向した窓部を有し、前記他方の眼用の映像光に対応した前記窓部の略他半部に、遮光処理若しくは透過光量を低減する処理が施されている、請求項３に記載したアダプタ。
【請求項１１】
一方の眼用の映像が画面の一半部に、他方の眼用の映像が画面の略他半部に位置するようにして立体映像を撮影する映像機器として前記撮影装置が構成され、
前記立体像取り込み装置が、前記一方の眼用の映像光と前記他方の眼用の映
像光とをそれぞれ取り込むように構成されている、
請求項１に記載したアダプタ。
【請求項１２】
前記立体像取り込み装置が、
単一の採光窓から入射する前記一方の眼用の映像光をミラーで反射させることなしに、前記一方の眼用の映像に対応した撮影レンズの略一半部に直接取り
込むこと、
前記採光窓と前記撮影レンズとの間に、前記一方の眼用の映像光を介して複
数のミラーを対向配置したこと、
前記採光窓から入射する前記他方の眼用の映像光が反射により前記撮影レンズの略他半部に取り込まれる角度に、前記複数のミラーの角度をそれぞれ設定
したこと
をそれぞれ構成としている、請求項１１に記載したアダプタ。
【請求項１３】
一方の眼用の映像が画面の略一半部に、他方の眼用の映像が画面の略他半部に位置するようにして立体映像を撮影する映像機器として前記撮影装置が構成され、この撮影装置のファインダに対向した窓部を有し、前記他方の眼用の映像光に対応した前記窓部の略他半部に、遮光処理若しくは透過光量を低減する処理が施されている、請求項１２に記載したアダプタ。
【請求項１４】
撮影装置に立体像取り込み装置を装着するためのアダプタを有し、このアダプタが、前記立体像取り込み装置を支持すると共に、少なくとも、前記撮影装置の筐体と接する部分が透光性に構成された、立体像撮影用の立体像取り込み装置の装着機構。
【請求項１５】
前記撮影装置のファインダ、フラッシュ又はセンサに対応する部分が透明に構成された、請求項１４に記載した装着機構。
【請求項１６】
前記アダプタが、前記撮影装置に対する取り付け位置を規定する位置規定手段を有し、この位置規定手段を介して前記撮影装置の筐体に取り付けられるように構成された、請求項１４に記載した装着機構。
【請求項１７】
前記立体像取り込み装置が前記アダプタに対し凹凸嵌合で着脱可能に支持される、請求項１６に記載した装着機構。
【請求項１８】
前記撮影装置の前記筐体に設けられた鏡筒部の周囲に着脱可能に嵌合される筒状部が前記位置規制手段として前記アダプタに設けられ、前記筒状部が異なる高さ位置の前記鏡筒部の外周面に内接するように、中心位置が互いに異なる複数の内接円からなっていて、これらの内接円のいずれかが前記異なる高さ位置毎に選択される、請求項１６に記載した装着機構。
【請求項１９】
前記撮影装置の前記筐体に接当されてこの筐体に着脱可能に固定される固定板部が前記アダプタに設けられ、前記筐体に凹凸嵌合される凹部又は凸部が前記位置規制手段として前記固定板部に設けられている、請求項１６に記載した装着機構。
【請求項２０】
前記撮影装置の前記筐体に接当されてこの筐体に着脱可能に固定される固定板部が前記アダプタに設けられ、前記固定板部に複数の固定位置が設けられていて、これらの固定位置が前記撮影装置の異なる機種毎に選択される、請求項１６に記載した装着機構。
【請求項２１】
前記複数の固定位置が、前記撮影装置の前記筐体の底面に存在し、この筐体に対する三脚の固定位置を兼ねている、請求項２０に記載した装着機構。
【請求項２２】
前記撮影装置の前記筐体の底面に接当されてこの筐体に着脱可能に固定される固定板部が前記アダプタに設けられ、前記固定板部に下方へ突出した突出板部が設けられ、前記撮影装置に前記アダプタを取り付けて載置面に載置したときに、前記立体像取り込み装置が前記載置面とは非接触状態に保持されるように構成した、請求項１６に記載した装着機構。
【請求項２３】
前記固定板部及びこれに連設された立板部が透明に構成された、請求項１９又は２０又は２２に記載した装着機構。
【請求項２４】
一方の眼用の映像が画面の略一半部に、他方の眼用の映像が画面の略他半部に位置するようにして立体映像を撮影する映像機器として前記撮影装置が構成され、この撮影装置のファインダに対向した窓部を有し、前記他方の眼用の映像光に対応した前記窓部の略他半部に、遮光処理若しくは透過光量を低減する処理が施されている、請求項１６に記載したアダプタ。
【請求項２５】
一方の眼用の映像が画面の略一半部に、他方の眼用の映像が画面の略他半部に位置するようにして立体映像を撮影する映像機器として前記撮影装置が構成され、
前記立体像取り込み装置が、前記一方の眼用の映像光と前記他方の眼用の映像光とをそれぞれ取り込むように構成されている、
請求項１６に記載した装着機構。
【請求項２６】
前記立体像取り込み装置が、
単一の採光窓から入射する前記一方の眼用の映像光をミラーで反射させることなしに、前記一方の眼用の映像に対応した撮影レンズの略一半部に直接取り込むこと、
前記採光窓と前記撮影レンズとの間に、前記一方の眼用の映像光を介して複数のミラーを対向配置したこと、
前記採光窓から入射する前記他方の眼用の映像光が反射により前記撮影レンズの略他半部に取り込まれる角度に、前記複数のミラーの角度をそれぞれ設定したこと
をそれぞれ構成としている、請求項２５に記載した装着機構。
【請求項２７】
一方の眼用の映像が画面の略一半部に、他方の眼用の映像が画面の他半部に位置するようにして立体映像を撮影する映像機器として前記撮影装置が構成され、前記アダプタが、前記撮影装置のファインダに対向した窓部を有し、前記他方の眼用の映像光に対応した前記窓部の略他半部に、遮光処理若しくは透過光量を低減する処理が施されている、請求項２６に記載した装着機構。
【発明の詳細な説明】
【０００１】
【発明の属する技術分野】
本発明は、固体撮像素子（ＣＣＤ：Ｃｈａｒｇｅ　Ｃｏｕｐｌｅｄ　Ｄｅｖｉｃｅ）を内蔵したビデオカメラ等の撮影装置に立体像（三次元像）取り込み装置を装着するために用いられるアダプタ、及びこのアダプタによる立体像取り込み装置の装着機構に関するものである。
【０００２】
【従来の技術】
これまで、立体像取り込み装置としては、特開平１１−１４６４２４号公報等に示されている４枚ミラー方式が知られている。
【０００３】
この４枚ミラー方式は、静止画又は動画等の立体像撮影用の光学アタッチメントを１台のビデオカメラに取り付けて視差のある映像を取り込むに際し、４枚のミラーを組み合わせ、撮影レンズの中央に、視差のある映像を左右に分けて図９（ａ）のように取り込むものである。そして、この左右一対の立体映像を画像処理によって図９（ｂ）、（ｃ）のようにそれぞれ２倍に拡大し（ＡＬ、ＡＲ）、フィールドシーケンシャルな立体映像信号に変換してディスプレイ画面に再生し、シャッターメガネ等により立体視することができる。
【０００４】
このように画像処理により、左右の映像を２倍に拡大すると、視差も２倍に強調されるので、目の疲れの原因になり、またディスプレイのサイズによっても視差量は変わり、大型化により一層視差量が大きくなってしまう。
【０００５】
本出願人は、特開平１１−４６３７３号において既に、視差量を必要最低限に抑えて眼に負担がかからない立体映像を得ることができる立体像取り込み装置（以下、これを先願装置と称する。）を提起した。
【０００６】
この先願装置の一例を図１０〜図１３について説明すると、まず図１０は、ビデオカメラに装着される光学アタッチメントに収納された内部部品を表し、入射瞳の中心点１０にて２θの画角をもって撮影されるカメラにより、Ｌ映像１１は直接中心点１０に向かって入射し、左眼用のＬ映像として取り入れられる。
【０００７】
一方、Ｒ映像１２はミラー１３、１４で２回反射して、中心点１０に向かって入射し、右眼用のＲ映像として取り入れられる。この場合、Ｒ映像１２は破線の交点１５に向かって入射したのと等価になる。このとき、ＲとＬとの距離ｄは上記した４枚ミラー方式に比べて約１／４に減少する。
【０００８】
ここで、ミラー１４の右端部１４Ｒは撮影レンズ２の光軸１６上にあり、その傾斜角は、ミラー１３の傾斜角とともに、Ｌ映像１１とほぼ同じ角度で入射するＲ映像１２が中心点１０に入射するように設定されている。また、ミラー１３の左端部１３ＬはＬ側映像情報の左側の光線１７を妨げない限り光軸１６に近づけられ、光学アタッチメントの大幅な小型化が可能となる。
【０００９】
そして、具体的な例として、焦点距離：６ｍｍ（１／３インチＣＣＤにて水平画角４３度）、入射瞳の位置：撮影レンズの前面より３５ｍｍのカメラ用に設計すると、ｄは約２０ｍｍとなる。即ち、２台のカメラを２０ｍｍ離して撮影したのと同じ視差が得られる。このアタッチメントによって得られた映像は、特願平７−３３４４２３号に開示されている画像処理により、左右半分ずつの画像がそれぞれ２倍に拡大されるので、視差も２倍に拡大される。このため、２台のカメラを４０ｍｍ離して撮影したのと等価になる。これは、人の左右の平均眼幅は６５ｍｍであるので、幾分少なめであるが、立体視の効果は十分に得られる。
【００１０】
また、ディスプレイの大きさによっても視差量は変わるが、これを図１１〜図１３について説明する。図１１は、２台のカメラ２０Ｌ、２０Ｒの間隔をｄ１とし、カメラ２０Ｌ、２０Ｒに近い順にＡ、Ｃ、Ｂと並んだ被写体を撮影するときの位置関係を示している。
【００１１】
そして、コンバーゼンス（左右のカメラの光軸中心の交点）をＣに合せると、図１１（ｂ）、（ｃ）のように、それぞれのカメラからＬ、Ｒの映像が得られる。これらをフィールドシーケンシャルな信号に変換して、図１２のようにディスプレイ２１上に再生し、シャッターメガネ２２にてＬ映像は左眼だけに、Ｒ映像は右眼だけに入るようにして見ると、Ｃはディスプレイ２１上に、Ａはディスプレイ２１の手前に、Ｂはディスプレイ２１の奥に定位する。
【００１２】
ここで、映像情報はそのままであって図１３のように、より大きなディスプレイ２３に再生させると、視差は全て水平方向に拡大されてしまうことが分かる。これにより、像の位置は図示矢印方向に移るが、この場合、Ｂの映像の間隔ｂが人の眼幅（約６５ｍｍ）を超えると、融像が難しくなる。視差量が適切でないと、立体視での疲れの原因となる。
【００１３】
この点については、左右方向に動きのある映像に対してプルフリッヒ効果を利用して、奥行き感をもたらす方式での視差量を参考にすればよい。即ち、一方の眼にＮＤフィルタを付けて光を弱めると、その分、大脳への伝達遅れが生じ、左右の眼で時間差のある映像が大脳で処理され、立体視される。その遅れは１０ｍｓｅｃ程度であるが、秒速１ｍの動きでも自然な立体感が得られている。この場合、１００×０．０１＝１ｃｍのカメラ間隔と等価となる。このことから、立体視のためには、必要最低限の視差量でよいことが分かる。これは、レンズの大きさ、その水平画角により制限されているものの、先願装置を適用した３Ｄ（三次元）光学アタッチメント以下の視差量での撮影は、他の手段では実行不可能である。
【００１４】
このように、先願装置によれば、立体映像を撮影する映像機器において、単一の採光窓から入射するいずれか一方の眼用の映像をミラーに反射させることなしに撮影レンズの右半分に直接取り込み、前記採光窓と撮影レンズとの間に、前記一方の眼用の映像光を介して第１及び第２のミラーを対向配置し、前記採光窓から入射する他方の眼用の映像光が反射により前記撮影レンズの左半分に取り込まれる角度に、前記第１及び第２のミラーの角度を各々設定している。これによって、視差量を４枚ミラー方式に比べて１／３〜１／４に減らすことができ、無調整で近距離から無限遠まで±１．５ｃｍ（３２インチモニタ上）のズレで撮影できるので、眼に負担の少ない立体映像が得られるようになる。
【００１５】
【発明が解決しようとする課題】
先願発明は上記した優れた特長を有するが、その光学アタッチメント（立体像取り込み装置）を正規の位置に装着するために用いるアダプタについては具体的に示されていない。これは、上記した４枚ミラー方式についても同様である。
【００１６】
本発明の目的は、光学アタッチメント（立体像取り込み装置）をビデオカメラ等の撮影装置に装着するに際し、位置確認を容易かつ確実に行うことのできるアダプタ、及びこのアダプタによる立体像取り込み装置の装着機構を提供することにある。
【００１７】
【課題を解決するための手段】
即ち、本発明は、撮影装置に立体像取り込み装置（光学アタッチメント）を装着するために用いられ、少なくとも、前記撮影装置の筐体と接する部分が透光性に構成された立体像撮影用のアダプタ、及びこのアダプタに前記立体像取り込み装置を凹凸嵌合等で支持する装着機構に係るものである。
【００１８】
本発明によれば、静止画又は動画等の立体像撮影用としての光学アタッチメント（立体像取り込み装置）を撮影装置に装着するために、少なくとも撮影装置の筐体と接する部分が透光性のアダプタを用いているので、アダプタの内側に位置する筐体（特にファインダ、フラッシュ又はセンサ）の位置を確かめながらアダプタの取り付けが可能となり、その位置決めが容易になり、撮影時も正しい位置での装着を確認できる。
【００１９】
また、アダプタが距離、明るさ計測などの各種センサを覆ってしまっても、透光性であるために、センサの動作を妨げず（赤外光を用いるセンサのときは赤外光に透明な材料とする。）、フラッシュなどの補助光の照射を妨げず（赤外光照射によるナイトショットのときは赤外光に透明な材料とする。）、ファインダの機能も妨げず（目視窓や液晶（ＬＣＤ）などの場合）、自動撮影セルフタイマー使用時などの警告、表示ランプ表示を妨げず、リモコン操作を行う受光部の支障にもならない（赤外光を用いるセンサのときは赤外光に透明な材料とする。）。
【００２０】
更には、アダプタを撮影装置の筐体に取り付けるときにも、取り付け穴の位置を確かめながらネジ等の取り付けが可能となるので、位置決めが容易になり、取り付け時の凹部と凸部との位置合せも容易となる。
【００２１】
【発明の実施の形態】
本発明においては、前記アダプタのうち、前記撮影装置のファインダ、フラッシュ又はセンサに対応する部分が透光性に構成されているのが、上記した作用効果を得る上で望ましい。
【００２２】
また、前記アダプタが、前記撮影装置に対する取り付け位置を規定する位置規制手段を有し、この位置規定手段を介して前記撮影装置の筐体に取り付けられるように構成されるのがよい。
【００２３】
前記撮像装置の機種によって鏡筒部の高さ（中心）位置が異なる場合、前記アダプタが、前記撮影装置の筐体に設けられた前記鏡筒部の周囲に着脱可能に嵌合される筒状部を前記位置規制手段として有し、この筒状部が異なる高さ位置の前記鏡筒部の外周面に常に内接するように、中心位置が互いに異なる複数の内接円からなっていて、これらの内接円のいずれかが前記異なる高さ位置毎に選択されるのが望ましい。
【００２４】
また、前記アダプタの取り付け位置を規定するためには、前記アダプタが、前記撮影装置の前記筐体に接当されてこの筐体に着脱可能に固定される固定板部を有し、前記筐体に凹凸嵌合される凹部又は凸部が前記位置規制手段として前記固定板部に設けられているのが望ましい。
【００２５】
また、前記アダプタが、前記撮影装置の前記筐体に接当されてこの筐体に着脱可能に固定される固定板部を有し、この固定板部に複数の固定位置が設けられていて、これらの固定位置が前記撮像装置の異なる機種毎に選択されるのが望ましい。この固定板部及びこれに連設された立板部も透明に構成されるのがよい。
【００２６】
この場合、前記複数の固定位置が、前記撮影装置の前記筐体の底面に存在し、この筐体に対する三脚の固定位置を兼ねているのがよい。
【００２７】
また、立体像を正確に取り込むには、前記アダプタが、前記撮影装置の前記筐体の底面に接当されてこの筐体に着脱可能に固定される固定板部を有し、この固定板部に、下方へ突出した突出板部が設けられ、前記撮影装置に取り付けて載置面に載置したときに、前記立体像取り込み装置が前記載置面とは非接触状態に保持されるように構成して、前記立体像取り込み装置が前記載置面に接当してその平行度等を変動させないことが望ましい。
【００２８】
本発明においては、一方の眼用の映像が画面の略一半部に、他方の眼用の映像が画面の略他半部に位置するようにして立体映像を撮影する映像機器として前記撮影装置が構成され、前記立体像取り込み装置が、前記一方の眼用の映像光と前記他方の眼用の映像光とをそれぞれ取り込むように構成されてよい。
【００２９】
この場合、両眼間における視差量を減らして眼に負担の少ない立体像を得る上で、前記立体像取り込み装置が、
単一の採光窓から入射する前記一方の眼用の映像光をミラーで反射させることなしに、前記一方の眼用の映像に対応した撮影レンズの略一半部に直接取り込むこと、
前記採光窓と前記撮影レンズとの間に、前記一方の眼用の映像光を介して複数のミラーを対向配置したこと、
前記採光窓から入射する前記他方の眼用の映像光が反射により前記撮影レンズの略他半部に取り込まれる角度に、前記複数のミラーの角度をそれぞれ設定したこと
をそれぞれ構成としているのが望ましい。
【００３０】
そして、前記アダプタが、前記撮影装置のファインダに対向した窓部を有し、特定の眼用（例えば右眼用）の映像光に対応した前記窓部の略他半部に、遮光処理若しくは透過光量を低減する処理が施されていれば、この処理領域への光入射量がカット又は低減されると同時に非処理領域へは十分な光入射量が得られることになる。従って、この非処理領域からの入射光、例えば左眼用の映像光に基づいて焦点合せ等を設定すると、撮影を行い易く、画像が鮮明となる。
【００３１】
以下、本発明の好ましい実施の形態を図面参照下に説明する。
【００３２】
図１〜図４は、本実施の形態による光学アタッチメント（立体像取り込み装置）装着用のアダプタと、このアダプタを用いたビデオカメラ（ここではデジタルスチルカメラ：以下、デジタルカメラと略記するが、静止画は勿論、動画も撮影可能である。）への立体像取り込み装置の装着機構を示すものである。
【００３３】
本実施の形態によるアダプタ３０は、図１〜図３に示すように、全体がほぼ透光性又は透明のプラスチックで形成されていて、このアダプタ３０に光学アタッチメント（立体像取り込み装置）３１が取り付けられる。
【００３４】
この取り付けに際しては、図２に示すように、光学アタッチメント３１のリング部３２の円筒形状に対応してアダプタ３０に形成された筒状部３３の内周に形成された雌ねじ部３４に、光学アタッチメント３１のリング部３２の外周に形成された雄ねじ部３５をねじ込みにより嵌め込んで光学アタッチメント３１を着脱可能に固定する。なお、図示省略したが、リング部３２の外周に形成した突起を筒状部３３の内周に形成した切欠きに嵌め込んだ後、光学アタッチメント３１を光軸１６の回りに幾分回動させて位置固定しても、アダプタ３０に対して光学アタッチメント３１を図３に示すように正規の位置に固定できる。そして、この逆の操作により、光学アタッチメント３１をアダプタ３０から取り外せる。
【００３５】
光学アタッチメント３１は、図４にその断面を概略図示するが、内部構造と機能は図１０に示したものと同様である。即ち、この光学アタッチメント３１により、デジタルカメラ３７に対し、一方の眼用（ここでは左眼用）の映像が画面の略一半部に、他方の眼用（ここでは右眼用）の映像が画面の略他半部に位置するように各映像光が入射するが、単一の採光窓４４から入射する前記一方の眼用の映像光をミラーで反射させることなしに撮影レンズ２の略一半部に直接取り込み、採光窓４４と撮影レンズ２との間に、前記一方の眼用の映像光を介して複数のミラー１３、１４を対向配置し、採光窓４４から入射する前記他方の眼用の映像光が反射により撮影レンズ２の略他半部に取り込まれる角度に、複数のミラー１３、１４の角度をそれぞれ設定している。
【００３６】
アダプタ３０は、図１及び図２に示すように、筒状部３３を設けた立板部３６に対し、前後方向にほぼ直角にデジタルカメラ３７への固定板部３８が連設され、全体がほぼＬ字形をなしている。
【００３７】
そして、アダプタ３０の筒状部３３は、デジタルカメラ３７のレンズ内蔵の鏡筒部３９を出入り可能に容したリング部４０の外周面４１に内接して嵌入される内周面４２を有している。この内周面４２は、デジタルカメラ３７の機種によって鏡筒部３９の高さ位置が異なるのに対応して、図５に明示するように、鏡筒部が上方位置の場合のリング部４０の外周面に一致した中心４３Ａの第１の円弧面４２Ａと、鏡筒部下方位置の場合のリング部４０の外周面に一致した中心４３Ｂの第２の円弧面４２Ｂとからなっていて、いずれかの円弧面が対応する所定高さのリング部４０の外周面４１に内接するように構成されている。
【００３８】
これによって、デジタルカメラ３７の機種によって鏡筒部３９、即ちリング部４０の高さが異なっても、これに応じてそのリング部４０の外周をアダプタ３０のリング部３３のいずれかの内周４２Ａ又は４２Ｂに接合されるだけで、常に正規の鏡筒中心にアダプタ３０の中心を容易かつ正確に合せることができる。
【００３９】
また、アダプタ３０の底部に設けた固定板部３８には、ねじ孔４７Ａ、４７Ｂが形成されているが、これらのねじ孔は、本来はデジタルカメラ３７の三脚を固定するためのものであり、カメラ機種によって異なる位置に形成されている。そして、三脚を用いない状態で、図６に示すように、例えば一方のねじ孔４７Ａからねじ４８をデジタルカメラ３７の筐体４９にねじ込み、これによって固定板部３８をカメラ筐体４９の底面に着脱可能にねじ止めする。これらのねじ孔４７Ａ、４７Ｂの代りに、スロット（長孔）４７Ｃを仮想線のように形成し、このスロット内でねじ止めしてもよい。固定板部３８には、カメラ筐体に設けた小突起（図示せず）と凹凸嵌合する位置決め用の小孔５５が形成されている。
【００４０】
この場合、カメラ機種に応じてねじ止め位置を変更すれば、常に固定板部３８をカメラ筐体４９に固定することができる。そして、固定板部３８のカメラ筐体側の角部には予め、位置決め用の突条部５０がＬ字状に形成されており、これがカメラ筐体４９の突起部５１と凹凸嵌合することによって、両者間の位置関係を定めて上記のねじ止めを行う。これによって、固定板部３８をカメラ筐体４９に対し常に正規の位置に固定することができる。
【００４１】
また、この固定板部３８において、リング部３３の下部に、下方へほぼ直角に突出した突出板部５２が一体に設けられている。この突出板部５２は、図７（ａ）のようにアダプタ３０をカメラ筐体４９に取り付けて図７（ｂ）のように載置面５３上に載置した際の脚部となるものであって、載置面５３と接する下端面５４を固定板部３８と平行に有している。
【００４２】
従って、載置面５３上では突出板部５２の下端及び固定板部３８の下端が接して支持されるので、ミラー内蔵の光学アタッチメント３１は、載置面５３に接することによりミラー１３、１４が衝撃力等を受けることがないため、これらのミラーを常に正規の状態に保持することができる。
【００４３】
また、アダプタ３０の立板部３６の上部には、デジタルカメラ３７のファインダ４５に対向した窓部４６が設けられ、例えば右眼用の映像光に対応した窓部４６の一半部４６Ａに、遮光処理若しくは透過光量を低減する処理、例えばエンボス加工又は黒色化処理が施され、他半部４６Ｂはそうした処理が施されずに十分な透光性を有している。
【００４４】
即ち、デジタルカメラ３７に光学アタッチメント３１を装着した状態でファインダ４５から目的とする像を見たときに、例えば左眼用の映像光がアダプタ３０の窓部４６の透光部４６Ｂを通して入射するが、右眼用の映像光は遮光処理若しくは透過光量低減処理された一半部４６Ａからは入射しないか若しくは低い光量でしか入射しないことになる。図８には、その状態を映像で概略図示している。
【００４５】
従って、アダプタ３０をカメラに取り付けて使用するときは、撮影時に左眼用の映像にピント（焦点）を合せて撮影できるので、ディスプレイの画面には常に良好な映像を再生でき、その撮影状態を確認することができる。また、カメラからアダプタ３０を取り外せば、立体像を再生しない通常のデジタルカメラとして使用可能となることは勿論である。
【００４６】
また、アダプタ３０は透光性の材質からなっているので、アダプタ３０の内側の状態が外部から確認することができ、取り扱いやカメラへの取付け作業を行い易く、また取り付け状態のチェックも行い易い。
【００４７】
これを具体的に説明すると、まず、アダプタ３０をカメラ筐体４９に取り付ける際、鏡筒部３９の位置を筒状部３３を通して確かめながら、アダプタ３０の取り付けが可能となるので、位置決めが容易になる。この場合、沈胴式の撮影レンズを用いた場合、鏡筒部３９が出入りするのを眼で見て確認することができ、電源をオフにしたときなどは、鏡筒部３９が沈み込むのを目視で確かめて、アダプタ３０の取り外しができると共に、電源オンのときには、アダプタ３０の取り付けが確実にされているのを確認してからオンにでき、撮影時も正しい位置での装着を確認できる。そして、メカ的に脆弱な機構を持つ鏡筒部３９を透明な筒状部３３で保護することができる。アダプタ３０は、カメラ筐体４９に常に取り付けておいてもよい。
【００４８】
但し、アダプタ３０のうち、透明にする部分は、鏡筒部に対応する部分ではなく、アダプタの台座部分（カメラ筐体と接する部分、例えば固定板部３８や立板部３６）を透明とするのが望ましいことがある。つまり、鏡筒内に光が回り込むことを避けるのが望ましいからである。
【００４９】
また、アダプタ３０が、距離、明るさ計測などの各種センサを覆ってしまっても、アダプタ３０は透明であるために、センサの動作を妨げず（赤外光を用いるセンサのときは赤外光に透明な材料とする。）、フラッシュなどの補助光の照射を妨げず（赤外光照射によるナイトショットのときは赤外光に透明な材料とする。）、ファインダの機能も妨げず（ファインダが目視窓、ＬＣＤなどのとき）、自動撮影セルフタイマー使用時などの警告、表示ランプ表示を妨げず、リモコン操作を行う受光部の支障にもならない（赤外光を用いるセンサのときは赤外光に透明な材料とする。）。
【００５０】
このように、アダプタ３０において、センサ付近、フラッシュ付近又はファインダ付近（ファインダの略半分だけを上述のように透明にするとさらに好ましい。）を透明にするのがよい。
【００５１】
一方、光学アタッチメント３１（特にそのミラー付近）は透明にしない方が好ましく、ミラー付近を完全に透明でないように構成するのが更に好ましい。つまり、カメラ前方以外からの光がミラーに当たらないことが望ましいからである。
【００５２】
更には、アダプタ３０を筐体４９に取り付けるときにも、取り付け穴の位置を確かめながらネジ等の取り付けが可能となるので、位置決めが容易になり、取り付け時の凹部と凸部との位置合せも容易となる。
【００５３】
以上に説明した実施の形態は、本発明の技術的思想に基づいて種々に変形可能である。
【００５４】
例えば、上述のアダプタ３０の透明部分は、十分に透明であるのがよいが、可視光透過性であればよく、半透明でもよい。アダプタ３０の形状、サイズや材質等は様々に変化させてよく、カメラへの取り付け時の位置規定手段や固定手段は上述したものに限定されることはない。また、アダプタ３０と光学アタッチメント３１とは一体に形成してよく、例えば一体成形してよい。この場合は、成形時に光学アタッチメント３１を設計通りの正規の位置に正確に配置することができ、有利である。
【００５５】
また、アダプタの取り付け対象は、上述のデジタルカメラに限らず、ＣＣＤ又は磁気ディスク、磁気テープ方式の録画機能を有していれば、他のビデオカメラであってもよい。
【００５６】
また、上述した各眼用の映像は、カメラと別体のディスプレイに再生するだけでなく、カメラに取り付けたモニタ画面で再生し、このモニタに図８で述べたようなファインダ機能をもたせ、例えば左眼用の映像をモニタできるようにしてもよい。
【００５７】
更に、本発明は、図１０に示した光学アタッチメントを装着するときに好適であるが、通常の４枚ミラー方式の光学アタッチメントを装着するときにも適用可能であり、また静止画に限らず、動画撮影にも有効である。また、上述したシャッタメガネ方式による立体像観察に限らず、偏光等による視差等を用いる公知の立体像観察一般にも適用できる。
【００５８】
【発明の作用効果】
本発明は、上述したように、立体像撮影用としての立体像取り込み装置を撮影装置に装着するために、少なくとも撮影装置の筐体と接する部分が透光性のアダプタを用いているので、アダプタの内側に位置する筐体の位置を確かめながらアダプタの取り付けが可能となり、その位置決めが容易になり、撮影時も正しい位置での装着を確認できる。
【００５９】
また、アダプタが距離、明るさ計測などの各種センサを覆ってしまっても、透光性であるために、センサの動作を妨げず、フラッシュなどの補助光の照射を妨げず、ファインダの機能も妨げず、自動撮影セルフタイマー使用時などの警告、表示ランプ表示を妨げず、リモコン操作を行う受光部の支障にもならない。
【００６０】
更には、アダプタを撮影装置の筐体に取り付けるときにも、取り付け穴の位置を確かめながらネジ等の取り付けが可能となるので、位置決めが容易になり、取り付け時の凹部と凸部との位置合せも容易となる。
【図面の簡単な説明】
【図１】本発明の実施の形態によるアダプタの正面図（ａ）、底面図（ｂ）、背面図（ｃ）である。
【図２】同、アダプタを用いて光学アタッチメント（立体像取り込み装置）をカメラに装着するときの分解斜視図である。
【図３】同、装着状態の斜視図である。
【図４】同、光学アタッチメント（立体像取り込み装置）の概略縦断面図である。
【図５】同、アダプタをカメラに取り付けたときの正面図（ａ）、カメラの鏡筒部に内接するアダプタ内周面を示す概略図（ｂ）、（ｃ）である。
【図６】同、アダプタをカメラに取り付けたときの図１のＶＩ−ＶＩ線断面図である。
【図７】同、アダプタをカメラに取り付けたときの正面図（ａ）、光学アタッチメント（立体像取り込み装置）も含めた側面図（ｂ）である。
【図８】同、再生された左右の眼用の映像の概略図である。
【図９】従来の立体像撮影時の映像において、左右の映像を切り取る際の説明図（ａ）、切り取られて拡大された左眼用の映像の説明図（ｂ）、切り取られて拡大された右眼用の映像の説明図（ｃ）である。
【図１０】先願装置による光学アタッチメント（立体像取り込み装置）の光学系を示す概略断面図である。
【図１１】同、撮影時の被写体の位置関係を表す説明図である。
【図１２】同、ディスプレイ上に再生したときの視差量を表す説明図である。
【図１３】同、大きいディスプレイ上に再生したときの視差量を表す説明図である。
【符号の説明】
２…レンズ、１０…中心点、１１…Ｌ映像、１２…Ｒ映像、
１３、１４…ミラー、１５…交点、１６…レンズの光軸、１７…光線、
２０Ｌ、２０Ｒ…カメラ、２１、２３…ディスプレイ、
２２…シャッターメガネ、３０…アダプタ、
３１…光学アタッチメント（立体像取り込み装置）、３２…リング部、
３３…筒状部、３４…雌ねじ部、３５…雄ねじ部、３６…立板部、
３７…デジタルカメラ、３８…固定板部、３９…鏡筒部、４０…リング部、
４１…外周面、４２…内周面、４２Ａ、４２Ｂ…円弧面、
４３Ａ、４３Ｂ……中心、４５…ファインダ、４６…窓部、
４６Ａ…一半部（遮光処理あり）、４６Ｂ…他半部（遮光処理なし）、
４７Ａ、４７Ｂ…ねじ孔、４７Ｃ…スロット、４８…ねじ、４９…筐体、
５０…突条部、５１…突起部、５２…突出板部、５３…載置面、５４…下端面
【図１】
2004101666.tif 000003
【図２】
2004101666.tif 000004
【図３】
2004101666.tif 000005
【図４】
2004101666.tif 000006
【図５】
2004101666.tif 000007
【図６】
2004101666.tif 000008
【図７】
2004101666.tif 000009
【図８】
2004101666.tif 000010
【図９】
2004101666.tif 000011
【図１０】
2004101666.tif 000012
【図１１】
2004101666.tif 000013
【図１２】
2004101666.tif 000014
【図１３】
2004101666.tif 000015